(57)【要約】【課題】光ファイバ心線に影響を与えることなく、光ファイバケーブルの端末部を確実に固定することができる光ファイバケーブル引き止め部材を提供する。【解決手段】光ファイバケーブル引き止め部材１は、ケーブル把持具３と、このケーブル把持具３を収容する収容部３４を有する把持具ベース４とからなっている。ケーブル把持具３は、把持具本体１２と、この把持具本体１２と連結された蓋部１３とを有している。把持具本体１２のガイド壁部１８には、Ｙ字状に切り裂かれた光ファイバケーブル２の被覆７を広げた状態で保持するための被覆保持用突起が設けられている。ガイド壁部１８には、被覆７から露出した光ファイバ心線５を案内するためのファイバガイド溝２０が設けられている。ガイド壁部１８におけるファイバガイド溝２０の両側には、被覆７から露出した各テンションメンバ６を通すための２つの挿通孔２１が設けられている。【選択図】　図１
2004109250.tif 000002
【特許請求の範囲】
【請求項１】
少なくとも１本の光ファイバ心線と前記光ファイバ心線の両側に配置された複数本のテンションメンバとを有する光ファイバケーブルの端末部を引き止めるための光ファイバケーブル引き止め部材において、
前記光ファイバケーブルの端末部を固定するケーブル把持具と、
前記ケーブル把持具を収容する収容部を有する把持具ベースとを備え、
前記ケーブル把持具は、前記光ファイバケーブルの端末部の被覆を２分するように切り裂いて広げた状態で保持すると共に前記被覆から露出した前記光ファイバ心線を案内するガイド部を有する把持具本体と、前記把持具本体と協働して前記被覆を把持する蓋部と、前記把持具本体と前記蓋部とを連結する連結手段とを有することを特徴とする光ファイバケーブル引き止め部材。
【請求項２】
前記把持具本体は、前記ガイド部の両側に設けられ、前記被覆から露出した前記各テンションメンバを通すための２つの挿通孔を更に有し、
前記把持具ベースは、金属製であると共に、前記収容部を形成する複数の壁部を有することを特徴とする請求項１記載の光ファイバケーブル引き止め部材。
【請求項３】
前記挿通孔を形成する前記把持具本体の内壁面は、前記挿通孔に挿入された前記テンションメンバを前記把持具本体の下方に導くための傾斜面を有していることを特徴とする請求項２記載の光ファイバケーブル引き止め部材。
【請求項４】
前記ケーブル把持具の両端部には、前記壁部の端部と係合する突起部がそれぞれ設けられていることを特徴とする請求項２記載の光ファイバケーブル引き止め部材。
【請求項５】
前記突起部及び前記壁部の端部のいずれか一方には、抜け止め用凸部が設けられ、
前記突起部及び前記壁部の端部の他方には、前記抜け止め用凸部と嵌合する抜け止め用凹部が設けられていることを特徴とする請求項４記載の光ファイバケーブル引き止め部材。
【請求項６】
前記連結手段は、前記把持具本体の一側と前記蓋部の一側とを連結するヒンジ部と、前記把持具本体の他側及び前記蓋部の他側に設けられ、前記把持具本体と前記蓋部とを係止する係止部とを有することを特徴とする請求項１記載の光ファイバケーブル引き止め部材。
【請求項７】
前記把持具本体には、前記被覆を把持するための第１把持リブが設けられ、
前記蓋部における前記第１把持リブに対応する部位には、前記被覆を把持するための第２把持リブが設けられていることを特徴とする請求項１記載の光ファイバケーブル引き止め部材。
【請求項８】
前記第１把持リブの中央部及び前記第２把持リブの中央部には、切り欠きがそれぞれ設けられていることを特徴とする請求項７記載の光ファイバケーブル引き止め部材。
【請求項９】
前記ケーブル把持具には、引き抜き用のつまみが設けられていることを特徴とする請求項１記載の光ファイバケーブル引き止め部材。
【請求項１０】
前記把持具ベースには、アース線を取り付けるためのアース導入部が設けられていることを特徴とする請求項２記載の光ファイバケーブル引き止め部材。
【発明の詳細な説明】
【０００１】
【発明の属する技術分野】
本発明は、光ファイバ心線の両側にテンションメンバを有する光ファイバケーブルの端末部を架空用クロージャ等に引き止めるための光ファイバケーブル引き止め部材に関するものである。
【０００２】
【従来の技術】
従来の光ファイバケーブル引き止め部材としては、光加入者線の２本のテンションメンバを分離部材の２つの挿通孔に挿通させた後、固定部材の貫通孔に各テンションメンバを収束して挿通させ、その状態で固定ネジにより各テンションメンバを一括して固定したものが知られている（例えば、特許文献１参照）。また、光ケーブルを案内部材の案内孔に挿通させた後、光ケーブルの２本のテンションメンバを保護スペーサの分岐溝に挿通させて、固定部材の水平案内孔に配置し、その状態で締め付けネジにより各テンションメンバを一括して固定したものもある（例えば、特許文献２参照）。
【０００３】
【特許文献１】
特開平１１−３３７７４０号公報（第３−４頁、図１）
【特許文献２】
特開２００１−１３３２９号公報（第３−４頁、図１−図５）
【０００４】
【発明が解決しようとする課題】
しかしながら、上記従来技術においては、テンションメンバをネジで固定するだけであり、光ファイバケーブルの被覆を固定していない。従って、アース（接地）をとるのが不要なプラスチック製のテンションメンバを有する光ファイバケーブルには適用できない。つまり、プラスチック製のテンションメンバをネジ止めするのは極めて困難であり、場合によってはテンションメンバが破損する虞がある。また、上述したようにＹ字状に切り裂いた光ファイバケーブルの端末部の被覆を拡げて固定する処理がなされていないので、例えば光ファイバ心線が被覆に挟まれて、光ファイバ心線に外力が加わり、その結果として光伝送特性を損なう可能性がある。
【０００５】
本発明の目的は、光ファイバ心線に影響を与えることなく、光ファイバケーブルの端末部を確実に固定することができる光ファイバケーブル引き止め部材を提供することである。
【０００６】
【課題を解決するための手段】
本発明は、少なくとも１本の光ファイバ心線と光ファイバ心線の両側に配置された複数本のテンションメンバとを有する光ファイバケーブルの端末部を引き止めるための光ファイバケーブル引き止め部材において、光ファイバケーブルの端末部を固定するケーブル把持具と、ケーブル把持具を収容する収容部を有する把持具ベースとを備え、ケーブル把持具は、光ファイバケーブルの端末部の被覆を２分するように切り裂いて広げた状態で保持すると共に被覆から露出した光ファイバ心線を案内するガイド部を有する把持具本体と、把持具本体と協働して被覆を把持する蓋部と、把持具本体と蓋部とを連結する連結手段とを有することを特徴とするものである。
【０００７】
このような光ファイバケーブル引き止め部材によって、プラスチック製のテンションメンバを有する光ファイバケーブルを引き止める場合は、まず光ファイバケーブルの端末部の被覆を２分するように切り裂き、被覆から光ファイバ心線を露出させる。続いて、被覆の裂き際を広げた状態で、把持具本体のガイド部により、その被覆の裂き際を保持すると共に光ファイバ心線を把持具本体の外部に導く。そして、連結手段により把持具本体と蓋部とを連結して、被覆を把持する。最後に、そのようにして光ファイバケーブルの端末部を固定したケーブル把持具を、把持具ベースの収容部に収容する。以上のようにプラスチック製のテンションメンバを有する光ファイバケーブルの端末部を確実に固定することができる。このとき、ガイド部によって被覆の裂き際が広がった状態で保持されるので、光ファイバ心線が被覆に挟まれることが防止され、これにより光ファイバ心線に影響を与えることは無い。
【０００８】
好ましくは、把持具本体は、ガイド部の両側に設けられ、被覆から露出した各テンションメンバを通すための２つの挿通孔を更に有し、把持具ベースは、金属製であると共に、収容部を形成する複数の壁部を有する。
【０００９】
このように把持具本体に２つの挿通孔を設けることにより、プラスチック製のテンションメンバを有する光ファイバケーブルだけでなく、アース（接地）を取る必要のある金属製のテンションメンバを有する光ファイバケーブルの端末部をも確実に固定することができる。このような光ファイバケーブルを引き止める場合は、まず光ファイバケーブルの端末部の被覆を２分するように切り裂き、被覆から光ファイバ心線及び各テンションメンバを露出させる。続いて、各テンションメンバを把持具本体の挿通孔にそれぞれ挿通させる。その後の手順は、上述したプラスチック製のテンションメンバを有する光ファイバケーブルを引き止める場合と同様である。このとき、把持具ベースを金属製とすることにより、把持具ベースが接地状態にある場合に、把持具本体の挿通孔を挿通した金属製のテンションメンバを壁部に当接させることで、テンションメンバを容易に接地することができる。
【００１０】
このとき、好ましくは、挿通孔を形成する把持具本体の内壁面は、挿通孔に挿入されたテンションメンバを把持具本体の下方に導くための傾斜面を有している。この場合には、挿通孔に挿入された金属製のテンションメンバを折り曲げずに壁部に当接させることが可能となる。
【００１１】
また、好ましくは、ケーブル把持具の両端部には、壁部の端部と係合する突起部がそれぞれ設けられている。この場合には、ケーブル把持具が把持具ベースの収容部に収容された状態において、何らかの要因でケーブル把持具が光ファイバケーブルの長手方向に動くこうとしても、ケーブル把持具の突起部が壁部の端部に引っ掛かるようになる。従って、ケーブル把持具が光ファイバケーブルの長手方向に動いて、収容部から抜け出ることが防止される。
【００１２】
このとき、好ましくは、突起部及び壁部の端部のいずれか一方には、抜け止め用凸部が設けられ、突起部及び壁部の端部の他方には、抜け止め用凸部と嵌合する抜け止め用凹部が設けられている。この場合、ケーブル把持具が把持具ベースの収容部に収容された時には、抜け止め用凹部に抜け止め用凸部が嵌まり込んだ状態となるので、ケーブル把持具が収容部から上方に容易に抜け出ることも無い。
【００１３】
さらに、好ましくは、連結手段は、把持具本体の一側と蓋部の一側とを連結するヒンジ部と、把持具本体の他側及び蓋部の他側に設けられ、把持具本体と蓋部とを係止する係止部とを有する。これにより、把持具本体と蓋部とを連結する作業が容易に行えるようになる。また、把持具本体と蓋部とをヒンジ部を介して一体化させることで、把持具本体及び蓋部の紛失を防ぐことができる。
【００１４】
また、好ましくは、把持具本体には、被覆を把持するための第１把持リブが設けられ、蓋部における第１把持リブに対応する部位には、被覆を把持するための第２把持リブが設けられている。この場合には、光ファイバケーブルの被覆を強固に把持することが可能となる。
【００１５】
このとき、第１把持リブの中央部及び第２把持リブの中央部には、切り欠きがそれぞれ設けられている。この場合には、第１把持リブ及び第２把持リブにより光ファイバケーブルの被覆を把持した時の力が切り欠きで吸収されることになるため、被覆の内部の光ファイバ心線に強い外力が加わることを防止できる。
【００１６】
さらに、好ましくは、ケーブル把持具には、引き抜き用のつまみが設けられている。この場合には、把持具ベースの収容部に収容されたケーブル把持具を容易に抜き出すことができる。
【００１７】
また、好ましくは、把持具ベースには、アース線を取り付けるためのアース導入部が設けられている。これにより、例えばプラスチック製の部材に金属製の把持具ベースが取り付けられている場合であっても、光ファイバケーブルにおける金属製のテンションメンバを容易にかつ確実に接地することができる。
【００１８】
【発明の実施の形態】
以下、本発明に係る光ファイバケーブル引き止め部材の好適な実施形態について図面を参照して説明する。
【００１９】
図１は、本発明に係る光ファイバケーブル引き止め部材の一実施形態を示す斜視図である。同図において、本実施形態の光ファイバケーブル引き止め部材１は、光ファイバケーブル２の端末部を固定するケーブル把持具３と、このケーブル把持具３が装着される把持具ベース４とからなっている。
【００２０】
光ファイバケーブル２は、図２に示すように、光ファイバ心線５と、この光ファイバ心線５の両側に光ファイバ心線５に対して平行に配置された２本のテンションメンバ６とを有し、これらの光ファイバ心線５及びテンションメンバ６は、塩化ビニル樹脂等からなる被覆７で一括して覆われている。被覆７の幅方向中央部には、切り離し用ノッチ８が被覆７の長手方向に沿って設けられている。テンションメンバ６は、鋼等の金属やガラス繊維強化プラスチック（ＦＲＰ）等のプラスチックで形成されている。
【００２１】
光ファイバケーブル引き止め部材１は、図３に示すような架空用クロージャ９に備えられるものである。架空用クロージャ９は、光ファイバケーブル２，２Ａが導入されるスリーブ１０を有し、このスリーブ１０の一端部には光ファイバケーブル引き止め部材１の把持具ベース４がネジＰで固定されている。また、スリーブ１０内には、光ファイバケーブル２の光ファイバ心線５と光ファイバケーブル２Ａの光ファイバ心線５Ａとの接続部分を収納するための複数の接続トレイ１１が配置されている。
【００２２】
光ファイバケーブル引き止め部材１のケーブル把持具３を図４〜図８に示す。図４はケーブル把持具３の開いた状態を示す平面図であり、図５はケーブル把持具３の開いた状態を示す裏面図であり、図６はケーブル把持具３の開いた状態を示す正面図であり、図７は図４のＶＩＩ−ＶＩＩ線断面図であり、図８は図４のＶＩＩＩ−ＶＩＩＩ線断面図である。
【００２３】
これらの図において、ケーブル把持具３は、光ファイバケーブル２の端末部の被覆７を２分するようにＹ字状に切り裂いて把持するものである。ケーブル把持具３は、把持具本体１２及び蓋部１３を有し、把持具本体１２の一側と蓋部１３の一側とが３つのヒンジ部１４を介して一体的に連結されている。蓋部１３の他側には２つのフック部１５が設けられ、把持具本体１２の他側には、各フック部１５と係合する２つのフック受け突起部１６が設けられている。これらのフック部１５及びフック受け突起部１６は、把持具本体１２と蓋部１３とを係止する係止部１７を構成する。
【００２４】
なお、ヒンジ部１４の数量は、特に３つには限られない。また、係止部１７の数量も、特に２組には限られない。さらに、把持具本体１２にフック部１５を設け、蓋部１３にフック受け突起部１６を設けてもよい。また、把持具本体１２と蓋部１３とをヒンジ部１４で連結せずに、把持具本体１２及び蓋部１３の左右両側に係止部１７を設けてもよい。
【００２５】
把持具本体１２は、その前端部にガイド壁部１８を有している。このガイド壁部１８の後端には、Ｙ字状に切り裂かれた光ファイバケーブル２の被覆７を広げた状態で保持するための被覆保持用突起１９が設けられている（図９及び図１１参照）。この被覆保持用突起１９を含むガイド壁部１８の幅方向中央部には、把持具本体１２の前後方向に延在し、被覆７から露出した光ファイバ心線５を案内するためのファイバガイド溝２０が設けられている（図９及び図１１参照）。
【００２６】
ガイド壁部１８におけるファイバガイド溝２０の左右両側には、被覆７から露出した各テンションメンバ６を通すための２つの挿通孔２１が設けられている（図９及び図１１参照）。この挿通孔２１を形成するガイド壁部１８の内壁面は、好ましくは、挿通孔２１に挿入されたテンションメンバ６を把持具本体１２の下方に導くための傾斜面２２を有している。
【００２７】
把持具本体１２の両側縁部には、把持具本体１２の前後方向に延びる側壁部２３が設けられており、両側壁部２３間に光ファイバケーブル２の被覆７が配置される。側壁部２３の内側面２３ａは、ガイド壁部１８に向けて広がるようなテーパ形状を有している。これにより、Ｙ字状に切り裂された光ファイバケーブル２の被覆７を広げた状態で両側壁部２３間に配置することができる。また、蓋部１３の両側縁部には、側壁部２３に対応した形状を有する側壁部２４が設けられている。
【００２８】
把持具本体１２には、光ファイバケーブル２の被覆７を把持するための断面三角状の３本の把持リブ２５が所定の間隔をもって設けられている。各把持リブ２５は、把持具本体１２の後方側において把持具本体１２の幅方向に延在するように設けられている。また、蓋部１３における各把持リブ２５に対向する部位には、光ファイバケーブル２の被覆７を把持するための断面三角状の３本の把持リブ２６が設けられている。このような把持リブ２５，２６を設けることにより、把持具本体１２に対して蓋部１３を閉じたときに、被覆７を強固に把持することが可能となる。
【００２９】
各把持リブ２５，２６の中央部、つまり蓋部１３を閉じて把持リブ２５，２６で被覆７を把持した時に、光ファイバ心線５の直下および直上となる部位には、切り欠き２７が形成されているのが好ましい。これにより、把持リブ２５，２６で被覆７を把持した時に被覆７にかかる力が切り欠き２７によって逃がされるため、被覆７の内部の光ファイバ心線５に強い力が加わることが防止される。
【００３０】
把持具本体１２の前端部の上面及び下面、把持具本体１２の後端部の下面、蓋部１３の後端部の上面には、ケーブル把持具３の幅方向に延びる拘束用突起部２８がそれぞれ設けられている。この拘束用突起部２８は、ケーブル把持具３を把持具ベース４に装着したときに、ケーブル把持具３に係合する部位である。把持具本体１２及び蓋部１３の後端部に設けた拘束用突起部２８には、ケーブル把持具３の前方（内側）に突き出た抜け止め用凸部２９が設けられている。また、把持具本体１２の後端には、把持具本体１２の後方に延びる引き抜き用のつまみ３０が設けられている。
【００３１】
以上のような構造を有するケーブル把持具３は、軽量で剛性の強いエンジニアリングプラスチックで一体成形するのが好ましい。そのような材質としては、例えばポリプロピレン、ポリエチレン、アルキベンゼン・スルフォン酸塩（ＡＢＳ）、ポリアミド、ポリオキシメチレン（ＰＯＭ）、ポリカーボネート等が用いられる。
【００３２】
上述したケーブル把持具３によって金属製のテンションメンバ６を有する光ファイバケーブル２を把持する手順を図９に示す。
【００３３】
まず、２本のテンションメンバ６が離れるように光ファイバケーブル２の端末部の被覆７を切り離し用ノッチ８に沿ってＹ字状に又裂きし、被覆７から光ファイバ心線５及び各テンションメンバ６を露出させる（図９（ａ）参照）。
【００３４】
続いて、各テンションメンバ６を把持具保体１２の挿通孔２１に挿通させる。そして、引き裂かれた被覆７を広げ、これらの被覆７で被覆保持用突起１９を挟むように被覆７の先端をガイド壁部１８の後端面に突き当てる。また、光ファイバ心線５をガイド溝２０に挿入する（図９（ｂ）参照）。このとき、引き裂かれた被覆７は、被覆保持用突起１９によって広げられた状態で保持・固定されるため、光ファイバ心線５が被覆７によって挟み込まれて押圧されることは無い。
【００３５】
続いて、図１０に示すように、蓋部１３を閉じて、フック部１５をフック受け突起部１６に引っ掛けることにより、把持具本体１２と蓋部１３とを係止する。このとき、ケーブル把持具３をペンチ等で挟んで、光ファイバケーブル２の被覆７に把持リブ２５，２６を食い込ませるようにするのが望ましい。これにより、被覆７がケーブル把持具３によって確実に把持されることになる（図９（ｃ）参照）。
【００３６】
このように光ファイバケーブル２のテンションメンバ６及び被覆７を一つのケーブル把持具３で一体に固定することができる。このとき、光ファイバケーブル２がねじれた状態で固定されることはない。
【００３７】
次に、上述したケーブル把持具３によってＦＲＰ製のテンションメンバ６を有する光ファイバケーブル２を把持する手順を図１１に示す。
【００３８】
まず、光ファイバケーブル２の端末部の被覆７を切り離し用ノッチ８に沿ってＹ字状に又裂きし、被覆７から光ファイバ心線５を露出させる（図１１（ａ）参照）。なお、テンションメンバ６は、被覆７から露出させないようにする。続いて、引き裂かれた被覆７を広げ、これらの被覆７で被覆保持用突起１９を挟むように被覆７の先端をガイド壁部１８の後端面に突き当てる。また、光ファイバ心線５をガイド溝２０に挿入する（図１１（ｂ）参照）。続いて、図９（ｃ）と同様に、蓋部１３を閉じて、把持具本体１２と蓋部１３とを係止することにより、光ファイバケーブル２の被覆７を把持する（図１１（ｃ）参照）。
【００３９】
図１に戻り、上述したケーブル把持具３が装着される把持具ベース４はベース本体３１を有し、このベース本体３１には、把持具ベース４を図３に示す架空用クロージャ９に取り付けるためのネジ穴３２（図１２参照）が設けられている。ベース本体３１上には複数の板状壁部３３が立設されており、これらの板状壁部３３によって、ケーブル把持具３を収容するための複数の収容部３４を形成している。
【００４０】
各板状壁部３３間におけるベース本体３１の上面には、図１２に示すように、ケーブル把持具３を収容部３４に収容したときに、ケーブル把持具３の係止部１７が入り込む溝状凹部３５が設けられている。また、各板状壁部３３のネジ穴３２側端部には、図１３に示すように、ケーブル把持具３の抜け止め用凸部２９と嵌合する抜け止め用凹部３６が設けられている。
【００４１】
このような構造を有する把持具ベース４は、光ファイバケーブル２に内蔵された金属製のテンションメンバ６のアース（接地）をとるべく、例えばＣｕ、Ｎｉ、Ｃｒ又はこれらの合金等の金属で形成されている。また、把持具ベース４は複数の板状壁部３３といった複雑な形状を有しているが、そのような把持具ベース４を安価に製造するためには、ダイカスト法、ロストワックス製法、金属射出成形製法等を採用するのが好ましい。
【００４２】
以上のような把持具ベース４の収容部３４にケーブル把持具３を収容する場合は、図１に示すように、ケーブル把持具３の係止部１７を下側にし、ケーブル把持具３の後部側を把持具ベース４のネジ穴３２側に向けた状態で、ケーブル把持具３の両端部に設けた拘束用突起部２８が板状壁部３３を挟むように、ケーブル把持具３を収容部３４に差し込む。すると、ベース本体３１の溝状凹部３５にケーブル把持具３の係止部１７が嵌り込むと共に、板状壁部３３の抜け止め用凹部３６にケーブル把持具３の抜け止め用凸部２９が嵌り込む。
【００４３】
このとき、ケーブル把持具３が金属製のテンションメンバ６を有する光ファイバケーブル２を把持している場合には、ケーブル把持具３の挿通孔２１に挿入されたテンションメンバ６が傾斜面２２によってケーブル把持具３の斜め下方に導かれる。このため、ケーブル把持具３の外部に出たテンションメンバ６は確実に板状壁部３３に接触することになるので、容易にテンションメンバ６のアースを取ることができる。
【００４４】
また、ケーブル把持具３に把持された光ファイバケーブル２に張力がかかってケーブル把持具３が板状壁部３３の延在方向に動こうとしても、ケーブル把持具３の拘束用突起部２８が板状壁部３３に引っ掛かり、更にケーブル把持具３の係止部１７が把持具ベース４の溝状凹部３５に引っ掛かる。このため、ケーブル把持具３が板状壁部３３の延在方向にずれ動いて、収容部３４から抜け出ることは無い。また、ケーブル把持具３の抜け止め用凸部２９が板状壁部３３の抜け止め用凹部３６に嵌り込んでいるので、ケーブル把持具３が収容部３４から上方に容易に抜けることも無い。従って、ケーブル把持具３を把持具ベース４に安定して固定することができる。
【００４５】
また、ケーブル把持具３を把持具ベース４から外すときは、ケーブル把持具３のつまみ３０を持って上方に引っ張ることで、ケーブル把持具３を収容部３４から容易に引き抜くことが可能となる。
【００４６】
以上のように構成した本実施形態の光ファイバケーブル引き止め部材１にあっては、アースを取る必要のある金属製のテンションメンバを有する光ファイバケーブルと、アースを取る必要の無いＦＲＰ製のテンションメンバを有する光ファイバケーブルとに対し、１種類のケーブル把持具３で兼用可能である。従って、テンションメンバの材質に応じて複数種類のケーブル把持具を用意しなくて済み、コスト的に有利である。
【００４７】
また、ケーブル把持具３によって光ファイバケーブル２の被覆７を把持するときに、Ｙ字状に切り裂かれた被覆７の端部を広げた状態で被覆保持用突起１９に保持するので、被覆７が光ファイバ心線５に押し当たることが防止される。これにより、光伝送に支障をきたすことはほとんど無い。
【００４８】
さらに、ケーブル把持具３は、ネジを使用せずに光ファイバケーブル２のテンションメンバ６及び被覆７を固定する構成であるので、ケーブル把持具３の小型化が図られ、これによりケーブル把持具３の実装密度を上げることができる。
【００４９】
また、ケーブル把持具３をエンジニアリングプラスチックで一体成形するので、製造コストを安価にすることができる。
【００５０】
図１４は、本発明に係る光ファイバケーブル引き止め部材の他の実施形態を示す構成図である。図中、上述した実施形態と同一または同等の部材には同じ符号を付し、その説明を省略する。
【００５１】
同図において、本実施形態の光ファイバケーブル引き止め部材４０は、上述した実施形態における把持具ベース４の代わりに、把持具ベース４１を有している。この把持具ベース４１は、上記の把持具ベース４と同様の金属で形成されている。
【００５２】
把持具ベース４１は、図１５に示すようなプラスチック製の光ファイバ収納トレイ４２の一端部に２つのネジ４３で取り付けられるものである。光ファイバ収納トレイ４２は、光ファイバケーブル２の光ファイバ心線５同士の接続部分を収納するための複数の接続収納部４４と、光ファイバ心線５の余長を収納するための余長収納部４５とを有している。
【００５３】
把持具ベース４１はベース本体４６を有し、このベース本体４６には、把持具ベース４１を光ファイバ収納トレイ４２に取り付けるためのネジ穴が設けられている。上述した実施形態における把持具ベース４と同様に、ベース本体３１上には、収容部３４を形成する複数の板状壁部３３が設けられており、各板状壁部３３間におけるベース本体４６の上面には溝状凹部３５が設けられている。
【００５４】
最外側の板状壁部３３の外壁面には、アースネジ受け用突起部４７が設けられている。このアースネジ受け用突起部４７には、アース線４８がネジ４９により取り付けられている（図１５参照）。これにより、光ファイバ収納トレイ４２がプラスチック製であっても、把持具ベース４１はアース状態となる。従って、金属製のテンションメンバ６を有する光ファイバケーブル２を把持したケーブル把持具３が把持具ベース４１に装着されたときに、テンションメンバ６が板状壁部３３に接触することで、テンションメンバ６のアースを取ることができる。
【００５５】
なお、本発明は、上記実施形態に限定されるものではない。例えば、上記実施形態では、金属製のテンションメンバのアースを取るために、把持具ベース４；４１の材質を金属としたが、テンションメンバのアースをとる必要が無い光ファイバケーブルのみを使用する場合には、把持具ベース４；４１の材質を強度の高いプラスチック等としてもよい。この場合には、ケーブル把持具３の把持具本体１２に、テンションメンバ６を通すための挿通孔２１を設けなくてもよい。
【００５６】
また、上記実施形態では、ケーブル把持具３の端部に設けられた拘束用突起部２８に抜け止め用凸部２９を設け、把持具ベース４；４１の板状壁部３３の端部に抜け止め用凹部３６を設けたが、これとは逆に、把持具ベース４；４１の板状壁部３３の端部に抜け止め用凸部を設け、ケーブル把持具３の拘束用突起部２８に抜け止め用凹部を設けてもよい。
【００５７】
さらに、上記実施形態のケーブル把持具３は、１本の光ファイバ心線を有する光ファイバケーブルを把持するものであるが、本発明は、２本以上の光ファイバ心線を有する光ファイバケーブルにも適用できることは言うまでもない。
【００５８】
【発明の効果】
本発明によれば、光ファイバケーブルの端末部の被覆を２分するように切り裂いて広げた状態で保持すると共に被覆から露出した光ファイバ心線を案内するガイド部を有する把持具本体と蓋部とによって被覆を把持するケーブル把持具を設けたので、光ファイバ心線に影響を与えることなく、光ファイバケーブルの端末部を確実に固定することができる。
【図面の簡単な説明】
【図１】本発明に係る光ファイバケーブル引き止め部材の一実施形態を示す斜視図である。
【図２】図１に示す光ファイバケーブル引き止め部材により固定される光ファイバケーブルを示す斜視図である。
【図３】図１に示す光ファイバケーブル引き止め部材を備えた架空用クロージャの内部構造を示す構成図である。
【図４】図１に示すケーブル把持具が開いている状態の平面図である。
【図５】図１に示すケーブル把持具が開いている状態の裏面図である。
【図６】図１に示すケーブル把持具が開いている状態の正面図である。
【図７】図４のＶＩＩ−ＶＩＩ線断面図である。
【図８】図４のＶＩＩＩ−ＶＩＩＩ線断面図である。
【図９】図１に示すケーブル把持具によって金属製のテンションメンバを有する光ファイバケーブルを把持する手順を示す図である。
【図１０】図１に示すケーブル把持具を閉じて光ファイバケーブルを把持する様子を示す図である。
【図１１】図１に示すケーブル把持具によってＦＲＰ製のテンションメンバを有する光ファイバケーブルを把持する手順を示す図である。
【図１２】図１に示す把持具ベースの平面図である。
【図１３】図１に示す把持具ベースの側面図である。
【図１４】本発明に係る光ファイバケーブル引き止め部材の他の実施形態を示す斜視図である。
【図１５】図１に示す光ファイバケーブル引き止め部材を備えた光ファイバ収納トレイを示す平面図である。
【符号の説明】
１…光ファイバケーブル引き止め部材、２…光ファイバケーブル、３…ケーブル把持具、４…把持具ベース、５…光ファイバ心線、６…テンションメンバ、７…被覆、１２…把持具本体、１３…蓋部、１４…ヒンジ部、１５…フック部、１６…フック受け突起部、１７…係止部、１９…被覆保持用突起部（ガイド部）、２０…ファイバガイド溝（ガイド部）、２１…挿通孔、２２…傾斜面、２５…把持リブ（第１把持リブ）、２６…把持リブ（第２把持リブ）、２７…切り欠き、２８…拘束用突起部、２９…抜け止め用凸部、３０…つまみ、３３…板状壁部、３４…収容部、３６…抜け止め用凹部、４０…光ファイバケーブル引き止め部材、４１…把持具ベース、４７…アースネジ受け用突起部（アース導入部）。
【図１】
2004109250.tif 000003
【図２】
2004109250.tif 000004
【図３】
2004109250.tif 000005
【図４】
2004109250.tif 000006
【図５】
2004109250.tif 000007
【図６】
2004109250.tif 000008
【図７】
2004109250.tif 000009
【図８】
2004109250.tif 000010
【図９】
2004109250.tif 000011
【図１０】
2004109250.tif 000012
【図１１】
2004109250.tif 000013
【図１２】
2004109250.tif 000014
【図１３】
2004109250.tif 000015
【図１４】
2004109250.tif 000016
【図１５】
2004109250.tif 000017